(57)【要約】【課題】ランプの交換等のメンテナンス作業を、効率良く行うことができる天井埋込型照明器具を提供する。【解決手段】メンテナンスの作業状態を安定して維持させるための係止部材を備えた。このため、作業中の不意な操作によっても、通常状態の位置にたおれることがなくなる。　したがって、作業者は集中して効率よくメンテナンス作業を行うことができる。【選択図】　　図１
2004022442.tif 000002
【特許請求の範囲】
【請求項１】
天井裏空間に配備され、天井裏空間からのメンテナンスを可能とした天井埋込型照明器具において、
吊下部材によって吊り下げられる固定側本体と、該天井埋込型照明器具のメンテナンスを行うために前記固定側本体に対して移動可能に設けられた可動側本体と、を備え、
前記可動側本体は、前記固定側本体に対して片開きに開閉可能とするための片開き用連結手段によって前記固定側本体に連結され、且つ、前記メンテナンスの際に前記可動側本体を通常状態から作業状態へと切り替えた位置を保持するための係止部材を有し、
該係止部材は、前記吊下部材に対して係止することによって、前記可動側本体を保持可能であることを特徴とする天井埋込型照明器具。
【発明の詳細な説明】
【０００１】
【発明の属する技術分野】
本発明は、天井裏空間に配備され、天井裏空間からのメンテナンスを可能とした天井埋込型照明器具に関する。
【０００２】
【従来の技術】
通常、天井高が高い部屋や、クリーンルーム等に使用される照明器具のランプ交換等のメンテナンス作業は、天井が高いために高所作業となる。また、クリーンルーム内に設置された、清浄度を要求される各種製造機器の上方での作業となるため、こうした機器を避けるべくオートリフター等を用いて作業を行う必要がある。また、ランプの交換作業に伴う埃の落下によって、クリーンルーム内の清浄な環境を損なうという問題もある。
【０００３】
そこで、上記事情を考慮した照明器具、及び、そのメンテナンス方法が特開２００２−１０６１９６号公報に開示されている。
この照明器具は、天井裏空間に配備され、天井裏空間からのメンテナンスを可能とした天井埋込型照明器具である。
この照明器具のメンテナンスを行うために移動可能に設けられた可動側本体は、その一端を、この照明器具を吊下げている吊下部材に連結された固定側本体に対して片開きに開閉可能とするための片開き用連結手段であるヒンジによって回動可能なように取り付けられている。このため、可動側本体は、通常状態（使用時）では、ランプを下に向けた水平状態に保持されているが、メンテナンスの時には、可動側本体を回動させて、横に向けた立姿勢にすることができる。
【０００４】
このように、照明装置をクリーンルームの天井裏空間に収容したことで、ランプの交換作業等のメンテナンスは、天井裏空間内において、同空間内に設けられた作業足場を利用して行うことができる。従って、高所作業ではなくなる。その際、可動側本体を横に向けることができるので、狭い天井裏空間においても、比較的容易にメンテナンスを行うことができる。
【０００５】
【発明が解決しようとする課題】
しかしながら、この従来の照明器具においては、メンテナンス作業を行う際に可動側本体を横に向けた立姿勢にすることができるようになってはいるが、可動側本体は、重心位置のバランスによって保持されている状態であった。したがって、作業中の不意な操作によっては、通常状態（使用時）の位置にたおれる可能性があるため、作業者は、メンテナンス中でも可動側本体が倒れないように注意を払う必要があった。
【０００６】
【課題を解決するための手段】
本発明は、以上の問題点を解決するためになされたものである。
すなわち、天井裏空間に配備され、天井裏空間からのメンテナンスを可能とした天井埋込型照明器具において、吊下部材によって吊り下げられる固定側本体と、該天井埋込型照明器具のメンテナンスを行うために前記固定側本体に対して移動可能に設けられた可動側本体と、を備え、　前記可動側本体は、前記固定側本体に対して片開きに開閉可能とするための片開き用連結手段によって前記固定側本体に連結され、且つ、前記メンテナンスの際に前記可動側本体を通常状態から作業状態へと切り替えた位置を保持するための係止部材を有し、該係止部材は、前記吊下部材に対して係止することによって、前記可動側本体を保持可能であることを特徴としている。
【０００７】
本発明によれば、係止部材によって、メンテナンス作業の状態を安定して維持させることが可能なため、可動側本体が重心位置のバランスのみによって保持されている状態ではないので、作業中の不意な操作によっても、通常状態の位置にたおれることがなくなった。
【０００８】
【発明の実施の形態】
以下、本発明の実施形態を図面を用いて説明する。
図１は、本発明の実施形態における天井埋込型照明器具１の正面図、図２は、天井埋込型照明器具１を天井構造材１０６側（上側）から見た平面図、また、図３は図２の部分詳細図、図４は、天井埋込型照明器具１の操作を説明する説明図、また、図５は図４の部分詳細図、図６は、固定手段の説明図、図７は、天井埋込型照明器具１の設置状態の説明図である。
【０００９】
先ず、この天井埋込型照明器具１は、図７に示すように、クリーンルーム１０１の天井裏空間１０３に配備される。通常、クリーンルーム１０１には、複数の天井埋込型照明器具１が配備される。
天井埋込型照明器具１は、図１、図２に示すように、固定側本体２と、可動側本体３と、によって構成されている。
【００１０】
固定側本体２は、板金を加工して、直方体の上下の面が開口した箱形に形成されている。なお、開口面の上側は、後述する可動側本体３が乗せられるように、その外周を額縁状に形成している。また、開口面の下側は、断面Ｕ字状のつば部３３が外向きに形成されている。
固定側本体２は、その四隅が天井裏構造材１０６から吊り降ろした吊り下げ用ボルト９によって支持されている。吊り下げ用ボルト９の下端部分は、固定側本体２の四隅の取り付け穴に、吊り下げ用ボルト連結補強板８を介して連結ナット１０を用いて直接結合されている。固定側本体２の下側の開口面には、枠２９が、取り付けばね７を用いて連結されている。その枠２９の内側には、パッキン６を介して、照明光をクリーンルーム１０１内に透過させるための強化ガラス５が嵌め込まれている。
枠２９の外周には、パッキン３２が嵌められていて、そのパッキン３２の上面が、天井面１０２に対して当接している。さらに、固定側本体２の下側のつば部３３のＵ字状部分の上面にはパッキン３４が嵌め込まれている。この構成によって、固定側本体２の連結ナット１０を締め込むと、固定側本体２全体が天井裏構造材１０６に近づく方向に移動する。このとき、パッキン３２、３４が天井面１０２に対して圧接する。また、取り付けばね７のばね作用によって枠２９が支持されているので、強化ガラス５は、必要以上の負荷を受ける事無く、天井面に対するパッキン３２、３４によるシール構造が実現されている。
【００１１】
一方、可動側本体３の内部には、照明器具１１が備えられている。照明器具１１は、周知の構造であるので、概略のみ簡単に述べる。ランプ１６は、例えば、蛍光ランプを用いる。ランプ１６は二本備えられており、それぞれのソケット１２にその両端を接続している。ソケット１２は回転式で、スプリングの有るものと無いものを一対で使用している。このソケット１２はソケット台１３を介して可動側本体３の内部に固定されている。ソケット台１３は、電子安定器１４、電源端子１５等に接続されており、図示しない電気配線によって、配線されている。
【００１２】
可動側本体３は、板金を加工して、直方体の下の面が開口した箱形に形成されている。その、平面に投影した大きさは、固定側本体２よりもひとまわり小さく、固定側本体２の上側の開口部を覆うように配置されている。
この可動側本体３は、その長手方向の一辺が、固定側本体２に、ヒンジ４によって取り付けられている。ヒンジ４は、片開きに開閉可能とするための片開き用連結手段である。そして、この開閉操作に利用される取っ手１７が、可動側本体３の上面に設けられている。この取っ手１７は、手で掴むことができるように、金属性の丸棒を逆Ｕの字状に曲げて形成している。取っ手１７の両端には、雄ねじが加工されていて、その両端のそれぞれが、可動側本体３の上面に裏側から補強板１９を介して、ナット１８によって取り付けられている。
【００１３】
また、可動側本体３には、ヒンジ４の対面側に、外向きに折り返して形成した、つば部３１が加工されている。固定側本体２は可動側本体３に、つば部３１を用いて以下のように固定される。図６に拡大図示するように、まず、固定側本体３の内側からつば部３１の取り付け穴に固定用ボルト２２を貫通させる。次に、つば部３１の上面から固定用蝶ナット２０によって締結する。なお、固定用ボルト２２は、予め、固定側本体２の内側から接着剤によって固定されている。ところで、固定用蝶ナット２０には連結ひも取り付け穴２１が明けられている。この連結ひも取り付け穴２１には連結ひも３０の一方が結び付けてあり、その他方を取っ手１７に結び付けている。すなわち、該天井埋込型照明器具１の固定側本体２に固定用ボルト２２が、可動側本体３に固定用蝶ナット２０がそれぞれ連結されている。なお、本実施例では、この固定手段を長手方向の三カ所に備えている。
【００１４】
さて、この可動側本体３の上面の長手方向の両端には、ほぼ長方形状の板金からなるストッパーバー２３が備えられている。このストッパーバー２３は、メンテナンスの作業状態を安定して維持させるための係止部材である。
このストッパーバー２３はストッパーバー取り付けボルト２４を用いて、次のように組み付けられている。まず、ストッパーバー２３の一方の端に加工された取り付け穴にストッパーバー取り付けボルト２４を上から通し、下面からストッパーバー取り付けナット上２５で固定する。
【００１５】
次に、皿ばね座金２６、座金２７をストッパーバー取り付けボルト２４に通して、かかる状態のストッパーバー取り付けボルト２４の先端を、可動側本体３に開口している取り付け穴に可動側本体３の上面側から差し込む。
最後に、ストッパーバー取り付けナット下２８にて、可動側本体３の裏面側から全体を固定する（図５参照）。ただし、このときの締め付け力は、皿ばね座金２６の弾性作用がはたらく程度に加減する。このように組み付けることによって、ストッパーバー２３は、中間に弾性部材である皿ばね座金２６を介しているので、外力が作用しない場合は、位置は動かないが、作業者が手で操作するときは、ストッパーバー取り付けボルト２４を軸にして回動させることができる。
【００１６】
次に、天井埋込型照明器具１のメンテナンス作業について図２から図５を参照して説明する。
例えば、ランプ１６の交換作業（メンテナンス作業）は、次の手順によって行う。
作業者４０は、例えば、図２に示すように照明装置本体１の右側面側から作業を行う。
【００１７】
まず、可動側本体３を固定している固定用蝶ナット２０（三箇所）を取り外す。このとき、固定用蝶ナット２０は連結ひも３０によって取っ手１７に連結されているので、取り外しても落下や紛失する心配がない。次に、取っ手１７を手で持って、ヒンジ４を中心にして可動側本体３を引きおこす（図４参照）。ここで、取っ手１７は二箇所あるので重量のある照明器具であっても楽に操作することができる。次に、可動側本体３とヒンジ４との連結面の端部３ａが固定側本体２の上面に当接する位置まで回転させる。この端部３ａが固定側本体２の上面に当接した状態が作業状態である。
【００１８】
次に、この作業状態をストッパーバー２３を用いて保持する。すなわち、ストッパーバー２３を図３に示すように、開閉位置２３ａから、係止位置２３ｂに手で回転させる。このとき、ストッパーバー２３の長さは、吊り下げボルト９に係止するために必要十分な長さである。したがって、ストッパーバー２３は、吊り下げ用ボルト９を裏側（作業者と逆の側）から係止し、可動側本体３を保持可能となる（図５参照）。以上の作業によって、メンテナンスの作業状態が保持される。なお、ストッパーバー２３は、皿ばね座金２６の作用によって係止した位置が安定している。したがって、作業者は、安心してランプ１６の交換作業等のメンテナンス作業を行うことができる。しかも、通常有する吊り下げ用ボルト９を被係止部材として利用しているので、ストッパーバー２３以外には、特段の部品を備える必要がないから、安価で済むという利点もある。
【００１９】
そして、メンテナンスの作業終了後は、再び、通常状態（使用状態）に戻すが、上述した作業の逆の手順によって行う。
なお、本発明は、前述した実施形態に限定されるものではなく、例えば、照明に蛍光ランプを用いているが、水銀ランプやメタルハライドランプ、ハロゲン電球などその他のランプを用いても勿論かまわない。
【００２０】
また、可動側本体３の開閉操作に利用する取っ手１７は、板金を用いても良いし、帯などを掛け渡して把持可能としてもよい。また、実施形態では、二カ所備えているが、これに限定されるものではない。
また、可動側本体３の固定側本体２への固定手段には、固定用蝶ナット２０と固定用ボルト２２を用いているが、クレッセント錠などを用いることもできる。また、実施形態では、三カ所備えているが、これに限定されるものではない。また、固定用蝶ナット２０は、連結ひも３０によって可動側本体３に連結されているが、紛失防止のための工夫は、連結ひもを用いた構成に限定されるものではなく、また、固定用ナットの価格を連結ひも等の紛失防止のためのコストに比べて極安価にできるのであれば、紛失防止のための工夫自体を省略しても構わない。
【００２１】
また、本発明の係止部材は、ストッパーバー２３を用いているが、被係止部材である吊り下げ用ボルト９に係止可能であれば良く、例えば、鉤状の針金を用いて係止してもよい。
【００２２】
【発明の効果】
以上説明したように、本発明の天井埋込型照明器具によれば、メンテナンスの作業状態を安定して維持させるための係止部材を備えたため、可動側本体との位置関係が重心位置によってのみ保持されている状態ではないので、作業中の不意な操作によっても、通常状態の位置にたおれることがなくなる。したがって、作業者は集中して効率よくメンテナンス作業を行うことができる。しかも、吊り下げ用ボルトを被係止部材として利用しているので、安価で済むという利点もある。
【図面の簡単な説明】
【図１】本発明の一実施形態における天井埋込型照明器具１の正面図である。
【図２】天井埋込型照明器具１の平面図である。
【図３】図２の部分詳細図である。
【図４】天井埋込型照明器具１の操作を説明する説明図である。
【図５】図４の部分詳細図である。
【図６】天井埋込型照明器具１の固定手段の部分を拡大した説明図である。
【図７】天井埋込型照明器具１の設置状態の説明図である。
【符号の説明】
１・・・天井埋込型照明器具
２・・・固定側本体
３・・・可動側本体
４・・・ヒンジ（片開き用連結手段）
５・・・強化ガラス
６・・・パッキン
７・・・取り付けばね
８・・・吊り下げ用ボルト連結補強板
９・・・吊り下げ用ボルト
１１・・・照明器具
１６・・・ランプ
２０・・・固定用蝶ナット
２３・・・ストッパーバー（係止部材）
１０１・・・クリーンルーム
１０２・・・天井面
１０３・・・天井裏空間
１０６・・・天井裏構造材
【図１】
2004022442.tif 000003
【図２】
2004022442.tif 000004
【図３】
2004022442.tif 000005
【図４】
2004022442.tif 000006
【図５】
2004022442.tif 000007
【図６】
2004022442.tif 000008
【図７】
2004022442.tif 000009